(57)【要約】【課題】ポケット内の服の生地への装着が容易で、使い勝手が良く、携帯機器がポケットから落下し難く、更に、携帯機器の重量でポケットが垂れ下がることを抑制する。【解決手段】携帯機器用保持具１は、弾力性を有し、服３０のポケット３２の内側に位置する服３０の生地の表面側に取り付けられる第１保持部材１０と、弾力性を有し、前記服３０の生地の表面側の裏側に取り付けられる第２保持部材２０と、を備え、第１保持部材１０と第２保持部材２０とにより、前記服３０の生地を挟み込むことにより、ポケット３２内の服３０の生地の上部に固定される。携帯機器（例えば、スマートフォン）４０を保持具１に挿入すると、スマートフォン４０が、ポケット３２内において、第１保持部材１０と、第２保持部材２０が固定された服３０の生地と、の間に挟持された状態で収容される。【選択図】図１
2014151101.tif 000002
【特許請求の範囲】
【請求項１】
第１弾性部材により形成され、服のポケットの内側に位置する前記服の生地の表面側に取り付けられる第１保持部材と、
第２弾性部材により形成され、前記服の生地の前記表面側の裏側に取り付けられる第２保持部材と、
を備えた携帯機器用保持具であって、
前記第１保持部材は、
対向する第１外面及び第２外面を有する携帯機器の前記第１外面に接触するための略長方形の第１保持部材本体と、
前記第１保持部材本体の両端部にそれぞれ形成された第１係合部と、を有し、
前記第２保持部材は、
前記第１保持部材本体に対向して配置される略長方形の第２保持部材本体と、
前記第２保持部材本体の中央部分に形成され、前記携帯機器を受け入れるための口の広い解放部と、
前記解放部の両側において前記第１保持部材本体方向へそれぞれ突出し、前記服の生地を介して前記携帯機器の前記第２外面をそれぞれ押圧する押圧部と、
前記第２保持部材本体の両端部にそれぞれ形成され、前記各第１係合部に対してそれぞれ着脱自在に係合する第２係合部と、を有することを特徴とする携帯機器用保持具。
【請求項２】
前記各第１係合部は、
前記第１保持部材本体の両端にそれぞれ延設されて前記第１保持部材本体の内側に屈曲した屈曲部と、前記各屈曲部にそれぞれ形成された係合孔と、を有し、
前記各第２係合部は、
前記第２保持部材本体の両端にそれぞれ延設され、前記第２保持部材本体の内側に屈曲して前記各係合孔にそれぞれ引っ掛けられる鉤部を有することを特徴とする請求項１記載の携帯機器用保持具。
【請求項３】
前記各第１係合部及び前記各第２係合部は、着脱自在に嵌合する凹部及び凸部のうちのいずれか１つをそれぞれ有することを特徴とする請求項１記載の携帯機器用保持具。
【請求項４】
前記第１弾性部材及び前記第２弾性部材は、弾力性を有するプラスチック又は鋼部材であることを特徴とする請求項１〜３のいずれか１項に記載の携帯機器用保持具。
【請求項５】
前記第１弾性部材及び前記第２弾性部材は、弾力性を有する透明のプラスチックであることを特徴とする請求項１〜３のいずれか１項に記載の携帯機器用保持具。
【請求項６】
前記ポケットは、前記服の前身頃に取り付けられた胸ポケットであることを特徴とする請求項１〜５のいずれか１項に記載の携帯機器用保持具。
【発明の詳細な説明】
【技術分野】
【０００１】
本発明は、服に着脱自在に装着される携帯機器用保持具に係り、特に、携帯電話及びＰＨＳと携帯情報端末（ＰＤＡ）機能が付いた携帯端末であるスマートフォン(smartphone)等の携帯機器を保持するための携帯機器用保持具に関するものである。
【背景技術】
【０００２】
衣服には、例えば、ワイシャツ等の上着である服と、この服の内側に着用される下着である肌着等とがある。
【０００３】
従来、例えば、下記の特許文献１、２には、携帯電話機等の携帯機器を服等に取り付けるための携帯機器用保持具（例えば、携帯機器用繋止具、クリップ）の技術が記載されている。このうち、特許文献１には、携帯電話機に取り付けられたストラップを、安全ピンを用いて服に繋止するようにした携帯機器用繋止具が記載されている。又、特許文献２には、携帯電話機の背面側にクリップを固着しておき、このクリップを介して携帯電話機を服等に着脱自在に取り付けるようにしたクリップの技術が記載されている。
【先行技術文献】
【特許文献】
【０００４】
【特許文献１】特開平１０−５０３３号公報
【特許文献２】特開２００６−９５２６１号公報
【発明の概要】
【発明が解決しようとする課題】
【０００５】
しかしながら、従来の携帯機器用保持具では、次のような課題があった。
特許文献１の技術では、例えば、服であるワイシャツの胸ポケットの近くに、携帯機器用繋止具を取り付けて、その携帯機器用繋止具に連結された携帯電話機を胸ポケットに挿入した場合、胸ポケットが携帯電話機の重量で垂れ下がって、だらしなく見える。
【０００６】
又、特許文献２の技術では、携帯電話機の背面に固着されたクリップを、胸ポケットに取り付けた場合、特許文献１と同様に、胸ポケットが携帯電話機の重量で垂れ下がって、だらしなく見える。しかも、携帯電話機の背面側にクリップを固着するため、携帯電話機の型式によっては、そのクリップが操作の邪魔になることがある。
【０００７】
これらの不都合を解消し、服を加工することなく、スマートフォン等の携帯機器のみを着脱自在に服に装着でき、携帯機器を服のポケットに挿入した場合、携帯機器がポケットから落下せず、しかも、携帯機器の重量でポケットが垂れ下がってだらしなく見えることがない、携帯機器用保持具の開発が望まれていた。
【課題を解決するための手段】
【０００８】
本発明の携帯機器用保持具は、第１弾性部材により形成され、服のポケットの内側に位置する前記服の生地の表面側に取り付けられる第１保持部材と、第２弾性部材により形成され、前記服の生地の前記表面側の裏側に取り付けられる第２保持部材と、を備えている。
【０００９】
前記第１保持部材は、対向する第１外面及び第２外面を有する携帯機器の前記第１外面に接触するための略長方形の第１保持部材本体と、前記第１保持部材本体の両端部にそれぞれ形成された第１係合部と、を有し、前記第２保持部材は、前記第１保持部材本体に対向して配置される略長方形の第２保持部材本体と、前記第２保持部材本体の中央部分に形成され、前記携帯機器を受け入れるための口の広い解放部と、前記解放部の両側において前記第１保持部材本体方向へそれぞれ突出し、前記服の生地を介して前記携帯機器の前記第２外面をそれぞれ押圧する押圧部と、前記第２保持部材本体の両端部にそれぞれ形成され、前記各第１係合部に対してそれぞれ着脱自在に係合する第２係合部と、を有することを特徴とする。
【発明の効果】
【００１０】
本発明の携帯機器用保持具によれば、次の（Ａ）〜（Ｄ）のような効果がある。
（Ａ）  第１保持部材と第２保持部材とによって、着脱自在に服の生地を挟み込み、携帯機器用保持具をその服に固定するようにしたので、服を加工することなく、この服への携帯機器用保持具の着脱が容易に行える。
【００１１】
（Ｂ）  ポケット内に固定した携帯機器用保持具に対して、携帯機器を挿脱自在に保持する構成にしたので、携帯機器の挿脱を容易に行える。
【００１２】
（Ｃ）  携帯機器は、ポケット内において、第１保持部材と、第２保持部材が固定された服の生地と、の間に挟持された状態で収容されるので、ポケットからの携帯機器の落下を抑制できる。
【００１３】
（Ｄ）  携帯機器用保持具の第１保持部材がポケット内に固定されるので、ポケット内の服の生地に、携帯機器及び携帯機器用保持具の重量が加わったとしても、その第１保持部材により、ポケットの垂れ下がりが抑制され、だらしなく見えることがない。
【図面の簡単な説明】
【００１４】
【図１】図１は本発明の実施例１における携帯機器用保持具を示す概略の構成図である。
【図２】図２は図１の携帯機器用保持具を示す斜視図である。
【発明を実施するための形態】
【００１５】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１６】
（実施例１の構成）
図１（ａ）、（ｂ）は、本発明の実施例１における携帯機器用保持具を示す概略の構成図であり、同図（ａ）は携帯機器用保持具の使用状態を示す正面図、及び、同図（ｂ）は同図（ａ）中のＡ−Ａ線拡大断面である。更に、図２（ａ）〜（ｃ）は、図１の携帯機器用保持具を示す斜視図であり、同図（ａ）は２分割状態を示す斜視図、同図（ｂ）は同図（ａ）の組み合わせ状態を示す斜視図、及び、同図（ｃ）は同図（ｂ）の使用状態を示す斜視図である。
【００１７】
図１（ａ）、（ｂ）に示すように、本実施例１の携帯機器用保持具１は、第１弾性部材（例えば、弾性力を有する透明のプラスチック）からなる第１保持部材１０と、第２弾性部材（例えば、弾性力を有する透明のプラスチック）からなる第２保持部材２０とを有し、これらの第１保持部材１０と第２保持部材２０とが着脱自在に係合するようになっている。
【００１８】
この携帯機器用保持具１は、服（例えば、上着の１つであるワイシャツ３０）のポケット（例えば、前身頃３１に取り付けられた略方形の胸ポケット３２）の内側に着脱自在に装着される。例えば、ワイシャツ３０は、織物等の生地を用いて縫製されている。胸ポケット３２は、織物等の生地で作られており、前身頃３１の左胸の位置に縫着されている。胸ポケット３２の上端には、収納物を出し入れするための開放端部３２ａが設けられている。
【００１９】
携帯機器用保持具１は、前身頃３１に取り付けられた胸ポケット３２の上部の位置において、第２保持部材２０を前身頃３１の内側に位置させ、第１保持部材１０を前身頃３１の生地を挟んで胸ポケット３２内の上部に位置させ、第１保持部材１０と第２保持部材２０とで前身頃３１の生地を挟み込み、携帯機器用保持具１をワイシャツ３０に固定するようになっている。胸ポケット３２内の上部に固定された第１保持部材１０と、第２保持部材２０が固定された前身頃３１の生地と、の間に、携帯機器（例えば、略長方形の板状のスマートフォン４０）を挿入すれば、第１保持部材１０と第２保持部材２０とによってスマートフォン４０が挟持される構成になっている。スマートフォン４０は、対向する第１外面（例えば、操作表示面である正面４１）及び第２外面（例えば、背面４２）を有している。
【００２０】
図２（ａ）〜（ｃ）に示すように、携帯機器用保持具１を構成する第１保持部材１０及び第２保持部材２０のうち、第１保持部材１０は、スマートフォン４０の正面４１に接触するための略長方形の第１保持部材本体１１を有し、この第１保持部材本体１１の両端部に、第１係合部１２，１３がそれぞれ形成されている。各第１係合部１２，１３は、第１保持部材本体１１の両端にそれぞれ延設されて第１保持部材本体１１の内側（即ち、対向する第２保持部材２０方向の側）に屈曲した屈曲部１２ａ，１３ａを有し、この各屈曲部１２ａ，１３ａに、略方形の係合孔１２ｂ，１３ｂがそれぞれ形成されている。
【００２１】
第２保持部材２０は、第１保持部材本体１１に対向して配置される略長方形の第２保持部材本体２１を有している。この第２保持部材本体２１の中央部分には、スマートフォン４０を受け入れるための口の広い解放部２１ａが形成されている。解放部２１ａは、この縦断面の上端が外側に傾斜し、スマートフォン４０が受け入れ易くなっている。第２保持部材本体２１において、解放部２１ａの両側には、対向する第１保持部材本体１１の方向へ屈曲して突出した押圧部２１ｂ，２１ｃがそれぞれ形成されている。各押圧部２１ｂ，２１ｃは、前身頃３１の生地を介してスマートフォン４０の背面４２を押圧する部分である。更に、第２保持部材本体２１の両端部には、各第１係合部１２ｂ，１３ｂに対してそれぞれ着脱自在に係合するための第２係合部２２，２３がそれぞれ形成されている。各第２係合部２２，２３は、第２保持部材本体２１の両端にそれぞれ延設され、この第２保持部材本体２１の内側（即ち、対向する第１保持部材１０方向の側）に屈曲して各係合孔１２ｂ，１３ｂにそれぞれ引っ掛けられる鉤部２２ａ，２３ａを有している。
【００２２】
（実施例１の使用例）
使用者は、携帯機器用保持具１を使用する場合、図２（ａ）に示すように、第１保持部材１０と第２保持部材２０とを分離しておく。図１（ｂ）に示すように、ワイシャツ３０の前身頃３１に取り付けられた胸ポケット３２の上部の位置において、第２保持部材２０の内側を、前身頃３１の内側に位置させ、第１保持部材１０の内側を、前身頃３１の生地を挟んで胸ポケット３２内の上部に位置させる。そして、第１保持部材１０と第２保持部材２０とで前身頃３１の生地を挟み、第２保持部材２０の一方の鉤部２２ａを、第１保持部材１０の一方の係合孔１２ｂに引っ掛ける。次に、第１保持部材１０の保持部材本体１１を内側に湾曲させつつ、第２保持部材２０の他方の鉤部２３ａを、第１保持部材１０の他方の係合孔１３ｂに引っ掛ける。これにより、図１（ｂ）及び図２（ｂ）に示すように、携帯機器用保持具１が、胸ポケット３２内の上部の前身頃３１の生地に固定される。
【００２３】
胸ポケット３２内の上部に固定された携帯機器用保持具１に、スマートフォン４０を挿着する場合、図２（ｃ）に示すように、スマートフォン４０の正面４１側を使用者の前方に向け、スマートフォン４０の底面４３の端部を胸ポケット３２の解放端部３２ａへ挿入し、更に、図２（ｃ）中の矢印で示すように、そのスマートフォン４０の底面４３の端部を、前身頃３１の生地を介して、第１保持部材１０の解放部２１ａへ押し込み、スマートフォン４０の下部を胸ポケット３２内へ挿入する。すると、図１（ａ）、（ｂ）に示すように、スマートフォン４０の正面４１の上部が、第１保持部材１０における保持部材本体１１の内側に接触し、スマートフォン４０の背面４２の上部が、前身頃３１の生地を介して、第２保持部材２０における２つの押圧部２１ｂ，２１ｃによって図１（ｂ）中の矢印方向に押圧される。これにより、スマートフォン４０は、胸ポケット３２内において、第１保持部材１０と、第２保持部材２０が固定された前身頃３１の生地と、の間に挟持された状態で収容される。
【００２４】
そのため、例えば、使用者が前屈みになっても、スマートフォン４０が胸ポケット３２の解放端部３２ａから落下しない。又、仮に、使用者の上下動等により、スマートフォン４０が携帯機器用保持具１から外れて胸ポケット３２の下部に落下し、この状態で、使用者が前屈みになっても、スマートフォン４０の上部が、携帯機器用保持具１の底面部により係止されるので、スマートフォン４０が胸ポケット３２の解放端部３２ａから落下することがない。しかも、携帯機器用保持具１が胸ポケット３２内の上部横方向に固定されているので、胸ポケット３２内の上部が横方向に引っ張られている。そのため、胸ポケット３２内の前身頃３１の生地に、スマートフォン４０及び携帯機器用保持具１の重量が加わったとしても、胸ポケット３２の垂れ下がりが抑制され、だらしなく見えることがない。
【００２５】
使用者は、スマートフォン４０を胸ポケット３２内の携帯機器用保持具１から取り外す場合、胸ポケット３２の解放端部３２ａを通して、スマートフォン４０の上部を把持して上方に持ち上げれば、スマートフォン４０が携帯機器用保持具１から外れる。そのため、スマートフォン４０を胸ポケット３２の解放端部３２ａから簡単に取り外すことができる。
【００２６】
（実施例１の効果）
本実施例１の携帯機器用保持具１によれば、次の（ａ）〜（ｅ）のような効果がある。
【００２７】
（ａ）  第１保持部材１０と第２保持部材２０とによって、着脱自在に前身頃３１の生地を挟持し、携帯機器用保持具１をワイシャツ３０に固定するようにしたので、ワイシャツ３０を加工することなく、このワイシャツ３０への携帯機器用保持具１の着脱が容易に行える。
【００２８】
（ｂ）  胸ポケット３２内に固定した携帯機器用保持具１に対して、スマートフォン４０を挿脱自在に保持する構成にしたので、スマートフォン４０の挿脱を容易に行える。
【００２９】
（ｃ）  スマートフォン４０は、胸ポケット３２内において、第１保持部材１０と、第２保持部材２０が固定された前身頃３１の生地と、の間に挟持された状態で収容されるので、胸ポケット３２からのスマートフォン４０の落下を抑制できる。
【００３０】
（ｄ）  携帯機器用保持具１が胸ポケット３２内の上部横方向に固定されるので、胸ポケット３２内の上部が横方向に引っ張られる。そのため、胸ポケット３２内の前身頃３１の生地に、スマートフォン４０及び携帯機器用保持具１の重量が加わったとしても、胸ポケット３２の垂れ下がりが抑制され、だらしなく見えることがない。
【００３１】
（ｅ）  第１弾性部材１０及び第２弾性部材２０は、弾力性を有する透明のプラスチックにより形成され、携帯機器用保持具１が胸ポケット３２の外側から透けて見えないので、見栄えが良い。なお、携帯機器用保持具１が胸ポケット３２の外側から透けて見えても、デザイン上、問題がなければ、第１弾性部材１０及び第２弾性部材２０を、弾力性を有する色付きのプラスチックで形成したり、或いは、鋼部材等で形成しても良い。
【００３２】
（変形例）
本発明は、上記実施例１に限定されず、種々の利用形態や変形が可能である。この利用形態や変形例としては、例えば、次の（１）〜（４）のようなものがある。
【００３３】
（１）  第１保持部材１０側の第１係合部１２，１３に代えて、第２保持部材２０側の鉤部２２ａ，２３ａを第１保持部材１０側に設け、第２保持部材２０側の鉤部２２ａ，２３ａに代えて、第１保持部材１０側の係合孔１２ｂ，１３ｂを第２保持部材２０側に設け、その鉤部２２ａ，２３ａを係合孔１２ｂ，１３ｂに引っ掛ける構成に変形にしても良い。このような構成に変形しても、実施例１と略同様の作用効果を奏することができる。
【００３４】
（２）  第１係合部１２，１３と第２係合部２２，２３との係合構造は、前記（１）以外の他の構造に変形しても良い。例えば、第１係合部１２，１３と第２係合部２２，２３とは、着脱自在に嵌合する凹部と凸部のうちのいずれか１つをそれぞれ有する構成にしても良い。このような構成にしても、実施例１と略同様の作用効果を奏することができる。
【００３５】
（３）  図２（ｃ）に示す第１保持部材１０において、保持部材本体１１の下端に、所定の幅を有する断面略Ｌ字型の支持部を設け、第１保持部材１０と第２保持部材２０との間に、前身頃３１の生地を介して挟持されたスマートフォン４０の底面４３を、そのＬ字型支持部の下部にて支持する構成に変形しても良い。このように変形すれば、例えば、使用者の上下動等により、スマートフォン４０が携帯機器用保持具１から外れて胸ポケット３２の下部に落下することを防止でき、胸ポケット３２からスマートフォン４０を容易に取り出すことができる。
【００３６】
（４）  胸ポケット３２は、前身頃３１の右側上部に設けたり、或いは、前身頃３１において、胸以外の脇下等の他の位置に設けても良い。又、携帯機器用保持具１を装着するためのポケット付きの服は、ワイシャツ３０以外の他のポケット付きの服であっても良い。
【符号の説明】
【００３７】
１      携帯機器用保持具
１０      第１保持部材
１１      第１保持部材本体
１２，１３      第１係合部
１２ｂ，１３ｂ      係合孔
２０      第２保持部材
２１      第２保持部材本体
２１ａ      解放部
２１ｂ，２１ｃ      押圧部
２２，２３      第２係合部
２２ａ，２３ａ      鉤部
【図１】
2014151101.tif 000003
【図２】
2014151101.tif 000004